(57)【要約】  【課題】  高価なＩＤタグを用いなくても、より簡便な方法で忘れ物を検出し確実に報知可能となる忘れ物検出装置を提供することである。【解決手段】  人体検知手段と、発信子機を起動する信号を送信する発信子機起動手段と、発信子機検知手段と、表示手段と、音声出力手段とを備えた受信本機２０と、それぞれの持ち物に装着する発信子機３０から構成した忘れ物検出装置１０とし、前記人体検知手段により人を検知すると、前記発信子機起動手段から起動信号が送信され、起動した発信子機からの所定の子機信号を受信し、受信した子機信号に応じた所定の表示と所定の音声出力を行う構成とした。【選択図】    図１
2008046894.tif 000002
【特許請求の範囲】
【請求項１】
受信本機と、持ち物に取り付ける発信子機との間で送受信を行う忘れ物検出装置であって、
前記受信本機が、人体検知手段と、発信子機を起動する信号を送信する発信子機起動手段と、発信子機から発信される子機信号を受信して所定の発信子機を検知する発信子機検知手段と、表示手段と、音声出力手段とを備えており、
前記人体検知手段により人を検知すると、前記発信子機起動手段から起動信号を送信し、起動した発信子機からの所定の子機信号の受信または非受信に応じた所定の表示と所定の音声出力を行う構成としたことを特徴とする忘れ物検出装置。
【請求項２】
前記表示手段が、合格を意味する第一色表示と不合格を意味する第二色表示を行う持ち物表示部と、予め設定された持ち物に応じた色表示を行う持ち物個別表示部との二つの表示部を備えていることを特徴とする請求項１に記載の忘れ物検出装置。
【請求項３】
前記音声出力手段が、無音と、ピンポン音発声と、ブザー音発生との三つの音声出力が可能であることを特徴とする請求項１または２に記載の忘れ物検出装置。
【請求項４】
前記持ち物個別表示部が三種類の持ち物を表示可能な三個の表示ランプを備え、前記受信本機に三種類の持ち物に対応したモード選択スイッチ部を備え、予め検出する持ち物の種類を設定可能とし、設定された持ち物の検出結果に応じて、所定の表示と所定の音声出力を行うことを特徴とする請求項２または３に記載の忘れ物検出装置。
【請求項５】
予め設定された持ち物に相当する子機信号を全て受信した際には、前記持ち物表示部が前記第一色表示を行い、前記持ち物個別表示部が検知した全ての持ち物に応じた色表示を行い、前記音声出力手段がピンポン音を発生することを特徴とする請求項２または３に記載の忘れ物検出装置。
【請求項６】
予め設定された持ち物の中で検知しないものがあれば、前記持ち物表示部が前記第二色表示を行うと共に、前記持ち物個別表示部が検知した持ち物に応じた色表示を行い、前記音声出力手段が無音もしくはブザー音を発生することを特徴とする請求項２または３に記載の忘れ物検出装置。
【請求項７】
前記モード選択スイッチが３段階であり、設定１であれば持ち物１に対応し、設定２であれば持ち物１と２に対応し、設定３であれば持ち物１と２と３に対応する構成とされており、設定１の時に、持ち物１を検知するとピンポン音を発生し、持ち物１を検知しないと無音であり、設定２の時に、持ち物１と２を検知するとピンポン音を発生し、持ち物１を検知して持ち物２を検知しない場合はブザー音を発生し、持ち物１を検知しない場合は無音とし、設定３の時に、持ち物１と２と３を検知するとピンポン音を発生し、持ち物１を検知して持ち物２もしくは３を検知しない場合はブザー音を発生し、持ち物１を検知しない場合は無音としたことを特徴とする請求項４から６のいずれかに記載の忘れ物検出装置。
【発明の詳細な説明】
【技術分野】
【０００１】
本発明は、忘れ物検出装置に関し、特に外出時に忘れ物があればそれを検知して表示または通報する忘れ物検出装置に関するものである。
【背景技術】
【０００２】
従来、忘れ物検出装置として、ＩＤタグとＩＤタグリーダーとを用いた検出方法が知られている。このＩＤタグとＩＤタグリーダーとを用いれば、情報の書き込みと読み込みを自在に行うことができる。そのために、忘れ物検出以外にも、倉庫の納品管理や、商店での商品管理にも適用可能な技術である。
【０００３】
また、持ち物にＩＤタグを装着し、その情報をＩＤタグ検知手段に登録すると共に、ＩＤ検知手段により検知できないＩＤタグを検出した時に、登録した情報と照合して、利用者にその忘れ物を報知するとした忘れ物検出装置が既に出願されている（例えば、特許文献１参照）。
【特許文献１】特開２００６−１１５０１号公報（第１−５頁、第１図）
【発明の開示】
【発明が解決しようとする課題】
【０００４】
しかし、情報の書き込みと読み込みが自在に行えるＩＤタグ方式は、高価であり、家庭内で用いる個人の忘れ物検出装置としては、より簡便な方法で、より安価な装置であることが望ましい。
【０００５】
さらに、慌しい外出時にも、忘れ物を速やかに検出し、その旨をより正確に表示または通報する装置であることが望まれる。
【０００６】
本発明の目的は、高価なＩＤタグを用いなくても、より簡便な方法で忘れ物を検出し確実に報知可能となる忘れ物検出装置を提供することである。
【課題を解決するための手段】
【０００７】
上記の目的を達成するために請求項１に係る発明は、受信本機と、持ち物に取り付ける発信子機との間で送受信を行う忘れ物検出装置であって、前記受信本機が、人体検知手段と、発信子機を起動する信号を送信する発信子機起動手段と、発信子機から発信される子機信号を受信して所定の発信子機を検知する発信子機検知手段と、表示手段と、音声出力手段とを備えており、前記人体検知手段により人を検知すると、前記発信子機起動手段から起動信号を送信し、起動した発信子機からの所定の子機信号の受信または非受信に応じた所定の表示と所定の音声出力を行う構成としたことを特徴としている。
【０００８】
上記の構成を有する請求項１に係る発明によれば、人体を検知して持ち物の確認が必要なときのみ、発信子機を起動するので、子機の有する電池寿命を高寿命とことができ、持ち物に応じた正しい表示と音声出力を行うので、慌しく外出する際にも、持ち物の確認を簡単に確実に行うことができる。
【０００９】
請求項２に係る発明は、前記表示手段が、合格を意味する第一色表示と不合格を意味する第二色表示を行う持ち物表示部と、予め設定された持ち物に応じた色表示を行う持ち物個別表示部との二つの表示部を備えていることを特徴としている。
【００１０】
上記の構成を有する請求項２に係る発明によれば、正しい持ち物をもっているかどうかの確認を、簡単にまた確実に行うことができ、忘れ物があるときには、それがなんであるかを確認することができる。
【００１１】
請求項３に係る発明は、前記音声出力手段が、無音と、ピンポン音発声と、ブザー音発生との三つの音声出力が可能であることを特徴としている。
【００１２】
上記の構成を有する請求項３に係る発明によれば、三種類の音声出力とランプ等の表示手段を組み合わせることで、各種の情報を表示可能となる。
【００１３】
請求項４に係る発明は、前記持ち物個別表示部が三種類の持ち物を表示可能な三個の表示ランプを備え、前記受信本機に三種類の持ち物に対応したモード選択スイッチ部を備え、予め検出する持ち物の種類を設定可能とし、設定された持ち物の検出結果に応じて、所定の表示と所定の音声出力を行うことを特徴としている。
【００１４】
上記の構成を有する請求項４に係る発明によれば、どの持ち物を所持していないかを容易に知ることができる。
【００１５】
請求項５に係る発明は、予め設定された持ち物に相当する子機信号を全て受信した際には、前記持ち物表示部が前記第一色表示を行い、前記持ち物個別表示部が検知した全ての持ち物に応じた色表示を行い、前記音声出力手段がピンポン音を発生することを特徴としている。
【００１６】
上記の構成を有する請求項５に係る発明によれば、ただ音声出力を確認するだけで、忘れ物がないことを容易に確認することができる。
【００１７】
請求項６に係る発明は、予め設定された持ち物の中で検知しないものがあれば、前記持ち物表示部が前記第二色表示を行うと共に、前記持ち物個別表示部が検知した持ち物に応じた色表示を行い、前記音声出力手段が無音もしくはブザー音を発生することを特徴としている。
【００１８】
上記の構成を有する請求項６に係る発明によれば、忘れ物があれば、そのことを音声で知ることができる。また、その忘れ物が何であるかをランプ等の表示で知ることができる。
【００１９】
請求項７に係る発明は、前記モード選択スイッチが３段階であり、設定１であれば持ち物１に対応し、設定２であれば持ち物１と２に対応し、設定３であれば持ち物１と２と３に対応する構成とされており、設定１の時に、持ち物１を検知するとピンポン音を発生し、持ち物１を検知しないと無音であり、設定２の時に、持ち物１と２を検知するとピンポン音を発生し、持ち物１を検知して持ち物２を検知しない場合はブザー音を発生し、持ち物１を検知しない場合は無音とし、設定３の時に、持ち物１と２と３を検知するとピンポン音を発生し、持ち物１を検知して持ち物２もしくは３を検知しない場合はブザー音を発生し、持ち物１を検知しない場合は無音としたことを特徴としている。
【００２０】
上記の構成を有する請求項７に係る発明によれば、最も必要な大事な所持品を持ち物１として設定することで、この大事な持ち物１を所持しているかどうかを直ちに確認することができる。
【発明の効果】
【００２１】
上記したように本発明によれば、受信本機と、持ち物に取り付ける発信子機との間で送受信を行う忘れ物検出装置であって、前記受信本機が、人体検知手段と、発信子機を起動する信号を送信する発信子機起動手段と、発信子機から発信される子機信号を受信して所定の発信子機を検知する発信子機検知手段と、表示手段と、音声出力手段とを備えており、前記人体検知手段により人を検知すると、前記発信子機起動手段から起動信号が送信され、起動した発信子機からの所定の子機信号の受信と非受信に応じた所定の表示と所定の音声出力を行う構成としたので、人体を検知して持ち物の確認が必要なときのみ、発信子機を起動して、子機の有する電池寿命を高寿命とことができ、持ち物に応じた正しい表示と音声出力を行うので、慌しく外出する際にも、持ち物の確認を簡単に確実に行うことが可能な忘れ物検出装置を得ることができる。
【発明を実施するための最良の形態】
【００２２】
以下、本発明に係る忘れ物検出装置の実施の形態について図面を用いて詳細に説明する。
【００２３】
図１に示す忘れ物検出装置１０は、受信本機２０と発信子機３０とから構成される。受信本機２０は、例えば玄関等の出入り口に設置する設備であり、それぞれの持ち物に取り付ける発信子機との間で送受信すると共に、所定の表示を行う。
【００２４】
そのために、図２に示すように本発明に係る受信本機２０を家の玄関等に設置し、発信子機３０を重要な持ち物に取り付けることで、利用者が外出の際に、忘れ物が無いかどうかを確認することができる。
【００２５】
前記受信本機２０は、樹脂成形品からなる本体部２１に、人体検知手段と、発信子機を起動する信号を送信する発信子機起動手段と、発信子機から発信される子機信号を受信して所定の発信子機を検知する発信子機検知手段と、表示手段と、音声出力手段とを備えた構成であって、丸みを帯びた弁当箱状の箱状設備である。
【００２６】
また、人体検知手段として、人体の赤外線を感知する赤外センサ２３を備えており、表示手段として、合格を意味する第一色表示（例えば青色）と不合格を意味する第二色表示（例えば赤色）を行う持ち物表示部２２と、種類毎に分類された複数の持ち物を表示可能であり予め設定された持ち物に応じた色表示を行う持ち物個別表示部２４との二つの表示部を備えている。さらに押しボタン２５と、予め分類された幾種類の持ち物を検出するかを設定するモード選択スイッチ部２６を備えている。
【００２７】
前記持ち物個別表示部２４は、それぞれの種類毎に分類された持ち物に対応した数の表示ランプを備えており、例えば図示するように、三種の持ち物タイプに応じた三個の表示部２４ａ、２４ｂ、２４ｃを備えている。
【００２８】
表示部はそれぞれ発光ダイオード（以下、「ＬＥＤ」と称する）を点灯する方式の表示部であって、例えば、赤、緑、青の３原色の表示を行うことができる。ＬＥＤは、スペクトル半値幅が狭いため高い色純度を有する半導体素子であり、小型で効率が良く消費電力の少ない鮮やかな色に発光する発光素子である。また、近年、青色ＬＥＤが実用化され、それにより赤、緑、青の３原色のＬＥＤが揃い、これらのＬＥＤを用いて各種の表示を行うことが可能となっている。
【００２９】
前記持ち物表示部２２もＬＥＤ表示部であり、予め設定された所定の持ち物を所持していることを検知した時に第一色（例えば青色）表示を行い、いずれかの持ち物を所持していないことを検知した時には第二色（例えば赤色）表示を行うようにしている。
【００３０】
本体部２１には電池２７および電装品２８が装着されている。この電池２７は電池カバー２１Ａを開閉することで着脱自在であり、電装品２８は、前述した人体検知手段と、発信子機起動手段と、発信子機検知手段と、表示手段と、音声出力手段等の各種制御を行う電子回路部品を装着したＩＣ基板からなっている。
【００３１】
音声出力手段としてスピーカ２９を備えており、このスピーカ２９から、無音と、ピンポン音発声と、ブザー音発生との三つの音声出力が可能である。そのために、前述した三種の持ち物表示と、三つの音声出力を組み合わせて、各種の情報を提示することが可能となる。
【００３２】
押しボタン２５は、テストボタンであって、このボタンを押すことで、再度音声表示を行うようにしている。そのために、慌てて外出する際に、音声表示を聞き忘れたりした場合に、所定の音声表示を再現することができる。
【００３３】
発信子機３０は、樹脂成形品である子機本体３１に、点灯表示部３２と、スライドスイッチ３３と、ストラップ装着部３４と、ストラップ３５と、電池蓋３６を備えており、子機本体内部に、電池３７と基板３８を備えている。
【００３４】
受信本機２０を忘れ物検出モードに設定しておき、人が２ｍ以内に近づくと、赤外センサ２３からなる人体検知手段が人を検知して、前記発信子機起動手段から起動信号（例えば、４３４ＭＨｚの信号）が送信され、発信子機３０を起動させる。起動した発信子機３０は、所定の信号を発信するので、子機（後述する持ち物１か２か３）からの所定の子機信号を受信して、所定の子機信号に応じた所定の表示と所定の音声出力を行う。
【００３５】
前記子機信号の強さは、前記赤外センサ２３の検知距離である約２ｍ程度以下の近距離感応型であることが好ましい。これは、外出しようとする人体に確かに装着した子機からの信号を確実に検知するためである。
【００３６】
前記スライドスイッチ３３は、持ち物の種類に応じてそのタイプを設定するためのスイッチであって、本実施の形態では３段階に設定可能としている。つまり、各所の持ち物をタイプ毎に、持ち物１と持ち物２と持ち物３とに三段階に設定することができる。
【００３７】
それぞれのタイプ毎に設定された発信子機３０は、その設定された持ち物タイプに応じた周波数の子機信号を発信する。この所定の子機信号を受信本機２０が検知して、持ち物のタイプを判定し、持ち物１か持ち物２か持ち物３かを表示する構成である。
【００３８】
また、持ち物のタイプ毎にその重要度を異ならせ、最も重要な持ち物をタイプ１、つまり持ち物１と設定することで、この持ち物を所持しているかどうかを即座に表示、音声表示することができる。
【００３９】
つまり、三段階のモード選択スイッチを用いた場合に、設定１とすると、検出する持ち物はタイプ１の持ち物１のみである。この時に、持ち物１を検知すると前記持ち物表示部２２が青色表示し前記表示部２４ａが点灯表示（例えば赤色）すると共に、スピーカ２９がピンポン音を発生するようにし、持ち物１を検知しない場合は、前記持ち物表示部２２が赤色表示し前記表示部２４ａが点灯しないと共に、スピーカ２９が発声せずに無音としている。このことより、点灯表示と音声表示とで、持ち物１を所持しているかどうかを簡単に、また確実に知ることができる。
【００４０】
また、設定２とすると、持ち物１と持ち物２を所持しているかどうかを検出する設定モードとなる。この設定では、持ち物１と２を共に検知すると前記持ち物表示部２２が青色表示し前記表示部２４ａ、２４ｂが点灯表示（例えば表示部２４ａが赤色、表示部２４ｂが黄色）すると共に、スピーカ２９がピンポン音を発生するようにしている。また、持ち物１を検知して持ち物２を検知しない場合は、前記持ち物表示部２２が赤色表示し前記表示部２４ａが点灯表示すると共にスピーカ２９がブザー音を発生するようにし、持ち物１を検知しない場合は、前記持ち物表示部２２が赤色表示し前記表示部２４ａが点灯しないと共にスピーカ２９が無音となるようにしている。
【００４１】
さらに、設定３とすると、持ち物１と持ち物２と持ち物３とを所持しているかどうかを検出する設定モードとなる。この設定では、持ち物１と２と３を共に検知すると前記持ち物表示部２２が青色表示し前記表示部２４ａ、２４ｂ、２４ｃが点灯表示（例えば表示部２４ａが赤色、表示部２４ｂが黄色、表示部２４ｃが緑色）すると共に、スピーカ２９がピンポン音を発生するようにしている。また、持ち物１を検知して持ち物２もしくは持ち物３を検知しない場合は、前記持ち物表示部２２が赤色表示し前記表示部２４ａが点灯表示すると共にスピーカ２９がブザー音を発生するようにし、持ち物１を検知しない場合は、前記持ち物表示部２２が赤色表示し前記表示部２４ａが点灯しないと共にスピーカ２９が無音となるようにしている。
【００４２】
この設定について図３に示す、各モードにおける音声表示・ＬＥＤ表示一覧、よりさらに詳細に説明する。
【００４３】
この図では、設定１（設定Ｉと称している）、設定２（設定II）、設定３（設定III）の各設定毎に、それぞれ持ち物１、２、３に対応する子機１、子機２、子機３を所持している場合と所持していない場合とで、どのような点灯表示と音声表示を行うかを示している。それぞれの図表内に示す○印が、それぞれの子機を所有していることを示している。
【００４４】
この図で、音声表示が「ＢＩＮＧ」とは、ピンポン音表示のことであり、「ＢＯＯ」とはブザー音表示のことである。また「Ｘ」は、無音であることを示している。項目のＬＥＤとは、第一色（例えば青色）表示と第二色（例えば赤色）表示を行う持ち物表示部２２の点灯状態を示しており、「Ｂｌｕｅ」とは、青色表示の意味であり、「ＲＥＤ」とは赤色表示のことである。
【００４５】
設定１で、子機１を所持している（設定１−１に示す状態）ことを検知すれば、ピンポン音を発生し、持ち物表示部２２が青色表示することを示している。また、前述した持ち物個別表示部２４が子機１に対応した表示部２４ａを点灯していることは明らかである。
【００４６】
また、この設定１で、子機１を所持していない場合（設定１−２、３、４に示す状態）は、子機２と３を所持している、所持していないに拘らずに、無音であると共に持ち物表示部２２が赤色表示していることを示している。
【００４７】
設定２では、子機１と２とを共に所持している場合（設定２−１に示す状態）に、ピンポン音を発生し、持ち物表示部２２が青色表示することを示している。また、前述した持ち物個別表示部２４が子機１と２に対応した表示部２４ａ、２４ｂを点灯していることは明らかである。
【００４８】
この設定２で、子機１を所持していない場合（設定２−３、５、６に示す状態）は、子機２と３を所持している、所持していないに拘らずに、無音であると共に持ち物表示部２２が赤色表示していることを示している。また、子機１を所持しており、子機２を所持していない場合（設定２−２、４に示す状態）には、子機３を所持している、所持していないに拘らずに、ブザー音表示すると共に持ち物表示部２２が赤色表示していることを示している。
【００４９】
設定３では、子機１と２と３を共に所持している場合（設定３−１に示す状態）に、ピンポン音を発生し、持ち物表示部２２が青色表示することを示している。また、前述した持ち物個別表示部２４が子機１と２と３に対応した表示部２４ａ、２４ｂ、２４ｃを点灯していることは明らかである。
【００５０】
この設定３で、子機１を所持していない場合（設定３−４、６、７、８）は、子機２と３を所持している、所持していないに拘らずに、無音であると共に持ち物表示部２２が赤色表示していることを示している。また、子機１を所持しており、子機２もしくは３を所持していない場合（設定３−２、３、５）には、ブザー音表示すると共に持ち物表示部２２が赤色表示していることを示している。
【００５１】
このように、表示手段として、青色表示（第一色表示）と赤色表示（第二色表示）を行う持ち物表示部２２と、予め設定された持ち物に応じた色表示を行う持ち物個別表示部２４との二つの表示部を備える構成としているので、正しい持ち物をもっているかどうかの確認を、簡単にまた確実に行うことができる。
【００５２】
さらに、無音と、ピンポン音発声と、ブザー音発生との三つの音声出力が可能であるので、これらの三種類の音声出力と前記の表示手段を組み合わせることで、各種の情報を明確に表示可能となる。
【００５３】
また、一番大事な、忘れたくない持ち物を子機１に設定する際に、設定する持ち物は複数あってもよく、家族のそれぞれが所有する家のカギを持ち物１として子機１設定ずることで、全ての家族がそれぞれ外出する際に、カギを所持しているかどうかを確実に確認することが可能である。
【００５４】
上記したように、本発明に係る忘れ物検出装置は、持ち物をそのタイプ毎に複数種類に分類して、それぞれを所持しているかどうかを簡単にまた確実に検出することができる。また、ＩＤタグとＩＤタグリーダーとを用いることなく、単位特定周波数を送受信するだけの簡単な構成としているので、安価であり、各家庭に容易に設置可能な忘れ物検出装置となる。
【００５５】
さらには、人体を検知して持ち物の確認が必要なときのみ、発信子機を起動するので、子機の有する電池寿命を高寿命とことができる。また、持ち物に応じた正しい表示と音声出力を行うので、慌しく外出する際にも、持ち物の確認を簡単に確実に行うことができる。特に、大事な持ち物を持ち物１として設定することで、他の持ち物を検出すモードであるかないかに拘らずに、持ち物１を所持しているかどうかが音声表示にて容易に確認可能となる。
【００５６】
本発明に係る発信子機３０はストラップ３５を備えているので、各種の持ち物のこの発信子機３０を装着可能であり、任意の持ち物に簡単に装着することができる。そのために、必要に応じて大事な持ち物１を設定可能であり、外出する際に特に大事な持ち物を持ち物１とすることが可能となる。
【００５７】
さらには、本発明に係る受信本機を用いて見当たらない持ち物を探し出すことも可能であり、受信本機を手持ちで探し物に近づくと、所定距離（例えば感知範囲３ｍ以内）で発信子機からの信号を受信して、それぞれの発信子機に応じた所定の色表示と所定の音声表示から、探し物を見つけることも可能となる。
【図面の簡単な説明】
【００５８】
【図１】本発明に係る忘れ物検出装置を構成する受信本機と発信子機の一例を示す斜視図である。
【図２】本発明に係る忘れ物検出装置の適用例を示す概略説明図である。
【図３】各モードにおける音声表示・ＬＥＤ表示の一覧を示す説明図である。
【符号の説明】
【００５９】
１０  忘れ物検出装置
２０  受信本機
２２  持ち物表示部
２３  赤外センサ（人体検知手段）
２４  持ち物個別表示部
２６  モード選択スイッチ部
３０  発信子機
【図１】
2008046894.tif 000003
【図２】
2008046894.tif 000004
【図３】
2008046894.tif 000005